(57)【要約】【課題】生産性の良い、ベニヤ単板搬送装置及びベニヤ単板搬送方法を提供する。【解決手段】搬送ロール２１に到達したベニヤ単板Ｗ、Ｗ１に対し、シリンダ３７で検出ロール３１を下降（図７（ａ））させ、ベニヤ単板Ｗ、Ｗ１を搬送ロール２１と検出ロール３１で挟持させる。次に、位置検出器３９からの信号で、ベニヤ単板が２枚であると判断し、検出ロール３１を上昇（図７（ｂ））させる。次いで、保持部材５でベニヤ単板Ｗを保持状態で、水平台９を矢印Ｆ方向の元の位置（図７（ｃ））に戻す。次に検出ロール３１を下降させ、ベニヤ単板Ｗ１を搬送ロール２１と検出ロール３１で挟持（図７（ｄ））させ、位置検出器３９からの信号で、ベニヤ単板Ｗ１が１枚であると判断し、電動機２５を駆動させて、搬送ロール２１でベニヤ単板Ｗ１を所望位置に搬送する。搬送終了後、垂直台３３を上昇させると共に、保持部材５で保持しているベニヤ単板Ｗを搬送ロール２１に到達させる。【選択図】　　　　図７
2004122603.tif 000002
【特許請求の範囲】
【請求項１】
略上下に複数枚堆積されているベニヤ単板群の水平方向一方側に設けられ、ベニヤ単板を搬送する搬送部材と、
該ベニヤ単板群の上方で、ベニヤ単板を保持可能な位置とベニヤ単板から離れた待機位置との間を上下動可能で、且つ水平往復移動により、保持したベニヤ単板を、該搬送部材によりベニヤ単板が搬送可能となる位置へ移動させる保持部材と、
該搬送部材で搬送可能な位置にベニヤ単板が到達したことを検出する第１検出器と、
該搬送可能な位置に到達したベニヤ単板の枚数を検出する検出機構と、
搬送部材でベニヤ単板を、前記待機位置にある保持部材によるベニヤ単板群からのベニヤ単板保持動作の妨げとならぬ位置に搬送したことを検出する第２検出器と、
保持部材を、前記待機位置に待機させた状態であって第２検出器が前記搬送したことを検出している時、保持部材を前記保持可能な位置に下降させ、次いで上昇及び水平移動によりベニヤ単板を前記搬送可能となる位置へ移動させた後、保持部材の移動を停止し、また第１検出器からの検出信号により、検出機構でベニヤ単板の枚数を検出し、
検出された枚数が１枚の時は、保持部材によるベニヤ単板の保持を解放し、次いで搬送部材でベニヤ単板を搬送すると共に、保持部材を待機位置へと水平移動させ、
検出された枚数が２枚の時は、ベニヤ単板を保持した状態で保持部材を待機位置の方向へ少なくとも所定量移動させた後に該移動を停止し、次いで搬送部材で搬送可能な位置に残っているベニヤ単板を搬送し、次に第２検出器によりベニヤ単板を前記妨げとならぬ位置に搬送したことを検出すると、保持部材を前記搬送可能となる位置へ移動させて次いで保持部材の移動を停止し、次いで保持部材によるベニヤ単板の保持を解放した後、搬送部材でベニヤ単板を搬送すると共に、保持部材を待機位置へと水平移動させ、
次に第２検出器が前記搬送したことを検出している時、保持部材を前記保持可能な位置に下降させ、以後同様に、第１検出器、、第２検出器、検出機構による各検出に応じて保持部材及び搬送部材の作動を制御する制御器と、
で構成するベニヤ単板搬送装置。
【請求項２】
略上下に複数枚堆積されているベニヤ単板群の最上のベニヤ単板に向かって、上方より下降・上昇自在且つ略水平方向に往復移動自在で、更にベニヤ単板を保持・解放自在な保持部材と、
ベニヤ単板を所望位置に搬送する搬送部材と、
搬送部材にベニヤ単板が到達したことを検出する検出器と、
搬送部材に到達しているベニヤ単板が厚み方向で１枚又は２枚以上であるかを検出する検出機構と、
ベニヤ単板を非検出の検出器からの信号に基づいて、
保持部材を下降させて最上のベニヤ単板に当接させ、そして該ベニヤ単板を保持させた後、保持状態で該保持部材を上昇させ、次いで該保持部材を略水平方向に移動させて、保持したベニヤ単板を搬送部材に到達させる第１動作を作動させ、次に検出機構でベニヤ単板の枚数を検出させる枚数検出動作を作動させ、その時該ベニヤ単板が１枚の時は、
保持部材でのベニヤ単板の保持を解放させた後、搬送部材で該ベニヤ単板を所望位置に搬送すると共に、保持部材を略水平方向の元の位置に戻す第２動作を作動させ、次にベニヤ単板を非検出となった検出器からの信号に基づいて、前記第１動作から開始させ、
一方枚数検出動作でベニヤ単板が２枚の時は、
保持状態で保持部材を略水平方向の元の位置に戻した後、枚数検出動作を作動させて搬送部材に残っているベニヤ単板の枚数を検出させ、該ベニヤ単板が１枚の時は、搬送部材で該ベニヤ単板を所望位置に搬送する第３動作を作動させ、次にベニヤ単板を非検出となった検出器からの信号に基づいて、保持状態の保持部材を略水平方向に移動させて、保持しているベニヤ単板を搬送部材に到達させる第４動作を作動させ、次に枚数検出動作を作動させて搬送部材に到達したベニヤ単板の枚数を検出させ、該ベニヤ単板が１枚の場合は、第２動作を作動させ、次にベニヤ単板を非検出となった検出器からの信号に基づいて、前記と同様に第１動作から開始させる制御器と、
で構成するベニヤ単板搬送装置。
【請求項３】
複数枚堆積されているベニヤ単板の上面に対し保持部材を作用させベニヤ単板を保持する第１工程と、
保持部材の移動によりベニヤ単板を搬送部材まで移動させる第２工程と、
該ベニヤ単板の搬送部材への移動中又は移動後にベニヤ単板の枚数が１枚か２枚かを検出する第３工程と、
第３工程で検出したベニヤ単板の枚数が１枚の時は、保持部材から搬送部材にベニヤ単板を受け渡して搬送部材によりベニヤ単板を所望位置へ搬送し、
第３工程で検出したベニヤ単板の枚数が２枚の時は、保持部材を前記堆積ベニヤ単板側へ所定量移動させることで該２枚の内の上側のベニヤ単板を前記保持した状態で移動させ、次いで搬送部材が該２枚の内の下側のベニヤ単板を搬送し、次のベニヤ単板を搬送可能となるタイミングに合わせて、保持部材の移動によりベニヤ単板を搬送部材まで移動させ、保持部材から搬送部材にベニヤ単板を受け渡して搬送部材によりベニヤ単板を所望位置へ搬送するベニヤ単板搬送方法。
【請求項４】
略上下に複数枚堆積されているベニヤ単板群の最上のベニヤ単板を保持部材で保持して持ち上げる第１工程と、
次に保持部材でベニヤ単板を搬送部材まで到達させる第２工程と、
次に搬送部材に到達しているベニヤ単板の厚み方向の枚数を検出する第３工程と、
次に第３工程で検出したベニヤ単板が１枚の時は、保持部材によるベニヤ単板の保持を解放すると共に、搬送部材で該ベニヤ単板を所望位置に搬送し、次に第１工程から繰り返し、
また、第３工程で検出したベニヤ単板が２枚の時は、保持部材で保持状態のベニヤ単板をベニヤ単板群上の略元の位置に戻す第４工程と、
次に第４工程後に、搬送部材に残っているベニヤ単板の同方向の枚数を検出する第５工程と、
次に第５工程で検出したベニヤ単板が１枚の時は、搬送部材で該ベニヤ単板を所望位置に搬送し、
次に、第４工程で略元の位置に戻したベニヤ単板を再度保持部材で搬送部材まで到達させ、次に第３工程より繰り返すベニヤ単板搬送方法。
【発明の詳細な説明】
【０００１】
【発明の属する技術分野】
略上下に複数枚堆積されているベニヤ単板群の最上のベニヤ単板を保持部材で持ち上げると共に搬送部材へ到達させ、次に到達したベニヤ単板の厚み方向の枚数を検出後、搬送部材でベニヤ単板を所望位置に搬送するベニヤ単板搬送装置及びベニヤ単板搬送方法に関する。
【０００２】
【従来の技術】
従来の技術の１例としての装置の構成を概略側面図である図１及び図１の一部ＡＡ視図である図２に基づいて説明する。
図１に示すＷは略上下に複数枚堆積されているベニヤ単板であり、後述する制御器（図示せず）により最上のベニヤ単板Ｗが所定の高さを保つ様に昇降機３が自動的に制御されている。
５はベニヤ単板Ｗを保持・解放自在な保持部材であり、シリンダ７と対になって矢印ＥＦ方向に直交する方向に複数配備されている。更に保持部材５を詳細に説明すると図２に示すように、基部５ａには鋭利な先端５ｂを有する一対の爪５ｃが軸５ｄを介して回動自在に取り付けられている。そして、鋭利な先端５ｂは実線の状態で基部５ａの底部５ｅから先端５ｂまでの距離がベニヤ単板の厚さとほぼ等しく設定されている。更に鋭利な先端５ｂを実線から二点鎖線で示す間を回動させるべく図示するように両爪５ｃの上端内側角部に当接される２つの面５ｈが上方に向かって互いに遠ざかる様に傾斜している当て座５ｆがピストンロッド５ｉに固定され、該当て座５ｆを実線から二点鎖線で示す間を往復移動させるシリンダ５ｇが基部５ａに配備されている。更に基部５ａはシリンダ７のピストンロッド７ａに取り付けられ、そして図１に示すように、シリンダ７の作動により、保持部材５は略上下方向である矢印ＣＤ方向に往復移動される。そして各々のシリンダ７は水平台９に取り付けられ、該水平台９は基台１に取り付けられているレール１１に沿って、略水平方向である矢印ＥＦ方向に移動自在に配備されている。そして１３は水平台９を同方向に往復移動させるシリンダである。
【０００３】
２１は到達したベニヤ単板Ｗを所望位置に搬送する搬送ロールであり、回転自在に基台１に取り付けられ、そして電動機２５により、回転・停止される。また搬送ロール２１に向かって傾斜する面２３ａを有するガイド２３も基台１に取り付けられている。
２７は搬送ロール２１で搬送可能な位置にベニヤ単板Ｗが到達したことを検出する光電形近接スイッチ、リミットスイッチ等の検出器である。
３１は後述するようにベニヤ単板の枚数を検出する検出ロールであり、垂直台３３に回転自在に取り付けられている。そして垂直台３３は基台１に取り付けられているレール３５に沿って移動自在に配備され、その移動方向は検出ロール３１が搬送ロール２１に向かう方向であるところの矢印ＧＨ方向である。そして３７は垂直台３３を同方向に往復移動させるシリンダである。
３９は垂直台３３の矢印ＧＨ方向の位置を検出するアブソリュート型エンコーダー等の位置検出器である。
また、検出器２７及び／又は位置検出器３９からの信号に基づいて、シリンダ５ｆ、７、１３、３７、電動機２５を後述するように制御する制御器（図示せず）が設けられている。
【０００４】
尚、制御器は搬送ロール２１に到達したベニヤ単板に対し、シリンダ３７を作動させて、検出ロール３１を矢印Ｇ方向に下降させ、そしてベニヤ単板に当接して該検出ロール３１が停止した時の垂直台３３の矢印ＧＨ方向の位置を位置検出器３９で検出させ、その検出信号により、搬送ロール２１と検出ロール間の隙間を演算し、その演算値が予め設定してあるベニヤ単板の厚みと比較して枚数を検出する。尚、通常ベニヤ単板は厚さが一定ではなく部分的に厚くなっていることがあるため該演算知が厚みの１．５倍以下か１．５倍を越えるかで、搬送ロール２１に到達しているベニヤ単板が厚み方向で１枚か２枚かを判断する。
【０００５】
次に作用を説明すると、図１の初期状態では各々の保持部材５は図２に示すように、シリンダ５ｇのピストンロッド５ｉは伸長していて、自重により爪５ｃの先端５ｂは実線で示すように互いに開き合っている状態である。また図１に示すように、シリンダ７、１３、３７の夫々のピストンロッドは縮小していて、保持部材５は矢印Ｄ方向に上昇状態で待機、水平台９は矢印Ｆ方向で待機、検出ロール３１は矢印Ｈ方向に上昇状態で待機している。また搬送ロール２１は電動機２５により停止状態である。
【０００６】
次に初期状態で運転が開始され、検出器２７からベニヤ単板を非検出の信号が制御器に入力されると、制御器からの信号により、図３（ａ）に示すようにシリンダ７のピストンロッド７ａを伸長作動させて、各保持部材５を最上のベニヤ単板Ｗに向けて下降させ、各保持部材５を該ベニヤ単板Ｗに当接させて、図２に示す爪５ｃの先端５ｂをベニヤ単板Ｗに刺し込む。次に前記下降させてから刺し込むのに充分な時間が経過後、制御器からの信号で図２に示すシリンダ５ｇのピストンロッドを縮小作動させて当て座５ｆを二点鎖線で示すように下降させ、爪５ｃの先端５ｂを二点鎖線で示すように閉じさせて、両爪５ｃの間のベニヤ単板Ｗを挟むことで保持させる。
【０００７】
次に前記保持させるのに充分な時間が経過後、制御器からの信号で図３（ｂ）に示すように、シリンダ７のピストンロッド７ａを縮小作動させ、ベニヤ単板Ｗを保持状態で各保持部材５を矢印Ｄ方向に上昇させる。次いで図３（ｃ）に示すように、シリンダ１３のピストンロッドを伸長作動させて、水平台９を矢印Ｅ方向に移動させ、ベニヤ単板Ｗを搬送ロール２１に到達させる。この時、ベニヤ単板Ｗは搬送ロール２１で搬送するのに充分な位置に到達している。
【０００８】
次に検出器２７がベニヤ単板Ｗを検出し、その検出信号が制御器に入力されると、制御器からの信号で、図２に示すシリンダ５ｇのピストンロッド５ｉを伸長作動させて、当て座５ｆを実線で示す位置に上昇させると、主にベニヤ単板Ｗの自重により爪５ｃの先端５ｂが実線で示す元の位置に開き、その結果ベニヤ単板Ｗの保持を解放させ、図４（ａ）に示すように該ベニヤ単板Ｗを落下させて搬送ロール２１に接触させる。
次に制御器からの信号で、図４（ｂ）に示すように、シリンダ３７のピストンロッドを伸長作動させて、検出ロール３１を矢印Ｇ方向に下降させ、ベニヤ単板Ｗを搬送ロール２１と検出ロール３１で挟持させると共に、シリンダ１３のピストンロッドを縮小作動させて、水平台９を矢印Ｆ方向の元の位置に戻す。次に検出ロール３１の下降が終了するのに充分な時間が経過後、垂直台３３の下降して停止している位置を検出した位置検出器３９からの信号が制御器に入力される。そして制御器は入力された信号により演算し、この場合は搬送ロール２１と検出ロール３１で挟持しているベニヤ単板Ｗが１枚であると判断する。
【０００９】
次に制御器からの信号で、図４（ｃ）に示すように、電動機２５を駆動させて、搬送ロール２１を図より見て反時計方向に回転させ、ベニヤ単板Ｗを所望位置に搬送する。次にベニヤ単板Ｗが所望位置に搬送され、続いてベニヤ単板を搬送可能な状態となると、検出器２７からベニヤ単板を非検出となった信号が制御器に入力され、制御器からの信号により、シリンダ３７のピストンロッドを縮小させて、垂直台３３を元の位置に上昇させると共に、運転開始からの同様な動作を繰り返させる。
【００１０】
また、ベニヤ単板Ｗを保持部材５で保持した後、持ち上げた際、最上層及びこれに隣り合う２枚のベニヤ単板間が真空状態に近くなること等の理由で図５（ａ）に示すように、２枚目のベニヤ単板Ｗ１も一緒に持ち上がった場合を説明する。
この場合、図５（ｂ）に示すように、シリンダ１３のピストンロッドを伸長作動させて、水平台９を矢印Ｅ方向に移動させると、ベニヤ単板Ｗ、Ｗ１の２枚を搬送ロール２１に到達させてしまう。同様に、これらベニヤ単板Ｗ、Ｗ１は搬送ロール２１で搬送するのに充分な位置に到達している。
【００１１】
次に検出器２７がベニヤ単板Ｗを検出し、その検出信号が制御器に入力されると、制御器からの信号で、同様な動作でベニヤ単板Ｗの保持を解放させ、図５（ｃ）に示すように該ベニヤ単板Ｗ、Ｗ１を搬送ロール２１上に落下させる。
次に制御器からの信号で、図５（ｄ）に示すように、シリンダ３７のピストンロッドを伸長作動させて、検出ロール３１を矢印Ｇ方向に下降させ、ベニヤ単板Ｗ、Ｗ１を搬送ロール２１と検出ロール３１で挟持させると共に、シリンダ１３のピストンロッドを縮小作動させて、水平台９を矢印Ｆ方向の元の位置に戻す。次に検出ロール３１の下降が終了するのに充分な時間が経過後、垂直台３３の下降して停止している位置を検出した位置検出器３９からの信号が制御器に入力される。そして制御器は入力された信号により演算し、搬送ロール２１と検出ロール３１で挟持しているベニヤ単板が２枚であると判断する。
次に制御器からの信号で、以後の動作を停止させると共に、警報等を鳴らして管理者に知らせ、管理者が手作業で１枚のベニヤ単板だけを昇降機３上のベニヤ単板に重ね合わせる等していた。
【００１２】
【発明が解決しようとする課題】
上述のように従来装置では、搬送ロール２１に到達しているベニヤ単板が厚み方向で２枚の場合は、２枚を検出後の動作を停止させていた。
そのため管理者が復旧動作をさせるまでは生産が停止し、生産性が悪いという問題があった。
【００１３】
本発明は、上記した従来の問題点を解決するために発明されたものであり、その課題とする処は、生産性の良いベニヤ単板搬送装置及びベニヤ単板搬送方法を提供することにある。
【００１４】
【問題点を解決するための手段】
このため、以下のベニヤ単板搬送装置及びベニヤ単板搬送方法を提供する。
略上下に複数枚堆積されているベニヤ単板群の水平方向一方側に設けられ、ベニヤ単板を搬送する搬送部材と、
該ベニヤ単板群の上方で、ベニヤ単板を保持可能な位置とベニヤ単板から離れた待機位置との間を上下動可能で、且つ水平往復移動により、保持したベニヤ単板を、該搬送部材によりベニヤ単板が搬送可能となる位置へ移動させる保持部材と、
該搬送部材で搬送可能な位置にベニヤ単板が到達したことを検出する第１検出器と、
該搬送可能な位置に到達したベニヤ単板の枚数を検出する検出機構と、
搬送部材でベニヤ単板を、前記待機位置にある保持部材によるベニヤ単板群からのベニヤ単板保持動作の妨げとならぬ位置に搬送したことを検出する第２検出器と、
保持部材を、前記待機位置に待機させた状態であって第２検出器が前記搬送したことを検出している時、保持部材を前記保持可能な位置に下降させ、次いで上昇及び水平移動によりベニヤ単板を前記搬送可能となる位置へ移動させた後、保持部材の移動を停止し、また第１検出器からの検出信号により、検出機構でベニヤ単板の枚数を検出し、
検出された枚数が１枚の時は、保持部材によるベニヤ単板の保持を解放し、次いで搬送部材でベニヤ単板を搬送すると共に、保持部材を待機位置へと水平移動させ、
検出された枚数が２枚の時は、ベニヤ単板を保持した状態で保持部材を待機位置の方向へ少なくとも所定量移動させた後に該移動を停止し、次いで搬送部材で搬送可能な位置に残っているベニヤ単板を搬送し、次に第２検出器によりベニヤ単板を前記妨げとならぬ位置に搬送したことを検出すると、保持部材を前記搬送可能となる位置へ移動させて次いで保持部材の移動を停止し、次いで保持部材によるベニヤ単板の保持を解放した後、搬送部材でベニヤ単板を搬送すると共に、保持部材を待機位置へと水平移動させ、
次に第２検出器が前記搬送したことを検出している時、保持部材を前記保持可能な位置に下降させ、以後同様に、第１検出器、、第２検出器、検出機構による各検出に応じて保持部材及び搬送部材の作動を制御する制御器と、
で構成するベニヤ単板搬送装置（請求項１）と、
略上下に複数枚堆積されているベニヤ単板群の最上のベニヤ単板に向かって、上方より下降・上昇自在且つ略水平方向に往復移動自在で、更にベニヤ単板を保持・解放自在な保持部材と、
ベニヤ単板を所望位置に搬送する搬送部材と、
搬送部材にベニヤ単板が到達したことを検出する検出器と、
搬送部材に到達しているベニヤ単板が厚み方向で１枚又は２枚以上であるかを検出する検出機構と、
ベニヤ単板を非検出の検出器からの信号に基づいて、
保持部材を下降させて最上のベニヤ単板に当接させ、そして該ベニヤ単板を保持させた後、保持状態で該保持部材を上昇させ、次いで該保持部材を略水平方向に移動させて、保持したベニヤ単板を搬送部材に到達させる第１動作を作動させ、次に検出機構でベニヤ単板の枚数を検出させる枚数検出動作を作動させ、その時該ベニヤ単板が１枚の時は、
保持部材でのベニヤ単板の保持を解放させた後、搬送部材で該ベニヤ単板を所望位置に搬送すると共に、保持部材を略水平方向の元の位置に戻す第２動作を作動させ、次にベニヤ単板を非検出となった検出器からの信号に基づいて、前記第１動作から開始させ、
一方枚数検出動作でベニヤ単板が２枚の時は、
保持状態で保持部材を略水平方向の元の位置に戻した後、枚数検出動作を作動させて搬送部材に残っているベニヤ単板の枚数を検出させ、該ベニヤ単板が１枚の時は、搬送部材で該ベニヤ単板を所望位置に搬送する第３動作を作動させ、次にベニヤ単板を非検出となった検出器からの信号に基づいて、保持状態の保持部材を略水平方向に移動させて、保持しているベニヤ単板を搬送部材に到達させる第４動作を作動させ、次に枚数検出動作を作動させて搬送部材に到達したベニヤ単板の枚数を検出させ、該ベニヤ単板が１枚の場合は、第２動作を作動させ、次にベニヤ単板を非検出となった検出器からの信号に基づいて、前記と同様に第１動作から開始させる制御器と、
で構成するベニヤ単板搬送装置（請求項２）と、
複数枚堆積されているベニヤ単板の上面に対し保持部材を作用させベニヤ単板を保持する第１工程と、
保持部材の移動によりベニヤ単板を搬送部材まで移動させる第２工程と、
該ベニヤ単板の搬送部材への移動中又は移動後にベニヤ単板の枚数が１枚か２枚かを検出する第３工程と、
第３工程で検出したベニヤ単板の枚数が１枚の時は、保持部材から搬送部材にベニヤ単板を受け渡して搬送部材によりベニヤ単板を所望位置へ搬送し、
第３工程で検出したベニヤ単板の枚数が２枚の時は、保持部材を前記堆積ベニヤ単板側へ所定量移動させることで該２枚の内の上側のベニヤ単板を前記保持した状態で移動させ、次いで搬送部材が該２枚の内の下側のベニヤ単板を搬送し、次のベニヤ単板を搬送可能となるタイミングに合わせて、保持部材の移動によりベニヤ単板を搬送部材まで移動させ、保持部材から搬送部材にベニヤ単板を受け渡して搬送部材によりベニヤ単板を所望位置へ搬送するベニヤ単板搬送方法（請求項３）と、
略上下に複数枚堆積されているベニヤ単板群の最上のベニヤ単板を保持部材で保持して持ち上げる第１工程と、
次に保持部材でベニヤ単板を搬送部材まで到達させる第２工程と、
次に搬送部材に到達しているベニヤ単板の厚み方向の枚数を検出する第３工程と、
次に第３工程で検出したベニヤ単板が１枚の時は、保持部材によるベニヤ単板の保持を解放すると共に、搬送部材で該ベニヤ単板を所望位置に搬送し、次に第１工程から繰り返し、
また、第３工程で検出したベニヤ単板が２枚の時は、保持部材で保持状態のベニヤ単板をベニヤ単板群上の略元の位置に戻す第４工程と、
次に第４工程後に、搬送部材に残っているベニヤ単板の同方向の枚数を検出する第５工程と、
次に第５工程で検出したベニヤ単板が１枚の時は、搬送部材で該ベニヤ単板を所望位置に搬送し、
次に、第４工程で略元の位置に戻したベニヤ単板を再度保持部材で搬送部材まで到達させ、次に第３工程より繰り返すベニヤ単板搬送方法。
方法（請求項４）と、
を提供する。
【００１５】
【発明の実施の形態】
次に発明の実施の形態を説明する。その構成は、制御器による各部材の作動を除いて図１、２に基づいて説明した従来装置の構成と同じであるので説明を省略する。
以下、その作用を適宜従来装置の説明に使用した図と、新たな図６から図８に基づいて説明する。
【００１６】
初期状態では従来装置と同様に図２に示すように、シリンダ５ｇのピストンロッドは伸長していて、爪５ｃの先端５ｂは実線で示すように互いに開き合っている状態である。また図１に示すように、シリンダ７、１３、３７の夫々のピストンロッドは縮小していて、保持部材５は矢印Ｄ方向に上昇状態で待機、水平台９は矢印Ｆ方向で待機、検出ロール３１は矢印Ｈ方向に上昇状態で待機している。また搬送ロール２１は電動機２５により停止状態である。
【００１７】
次に初期状態で運転が開始され、検出器２７からベニヤ単板を非検出の信号が制御器に入力されると、前記従来装置と同様に制御器からの信号により、図３（ａ）に示すように、シリンダ７のピストンロッド７ａを伸長作動させて、保持部材５により１枚のベニヤ単板Ｗを保持させる。以後、前記従来装置と同様の作動で図３（ｂ）、図３（ｃ）とベニヤ単板Ｗを移動させる。
【００１８】
次に検出器２７がベニヤ単板Ｗを検出し、その検出信号が制御器に入力されると、制御器からの信号で、図６（ａ）に示すように、ベニヤ単板Ｗを保持した状態でシリンダ３７のピストンロッドを伸長作動させて、検出ロール３１を矢印Ｇ方向に下降させ、ベニヤ単板Ｗを搬送ロール２１と検出ロール３１で挟持させる。次に検出ロール３１の下降が終了するのに充分な時間が経過後、垂直台３３の下降して停止している位置を検出した位置検出器３９からの信号が制御器に入力される。そして制御器は入力された信号により演算し、搬送ロール２１と検出ロール３１で挟持しているベニヤ単板Ｗが１枚であると判断する。
【００１９】
この１枚であることの信号が入力されると、制御器は以下の様に各部材を作動させる信号を出す。即ち図２に示すシリンダ５ｇのピストンロッドを伸長作動させて、当て座５ｆを実線で示す位置に上昇させ、爪５ｃの先端５ｂを実線で示す元の位置に開かせ、図６（ｂ）に示すように、保持部材５によるベニヤ単板Ｗの保持を解放させる。
【００２０】
次に、図６（ｃ）に示すように、電動機２５を駆動させて、搬送ロール２１を図より見て反時計方向に回転させ、ベニヤ単板Ｗを所望位置に搬送すると共に、シリンダ１３のピストンロッドを縮小作動させて、水平台９を矢印Ｆ方向の元の位置に戻す。
ベニヤ単板Ｗが所望位置に搬送し終わると、検出器２７からベニヤ単板を非検出となった信号が制御器に入力され、制御器からの信号により、シリンダ３７のピストンロッドを縮小させて、垂直台３３を元の位置に上昇させると共に、運転開始からの同様な動作を繰り返させる。
【００２１】
また、ベニヤ単板Ｗを保持部材５で保持した後、持ち上げた際、図５（ａ）に示すように、２枚目のベニヤ単板Ｗ１も一緒に持ち上がった場合を説明する。
図５（ｂ）に示すように、シリンダ１３のピストンロッドを伸長作動させて、水平台９を矢印Ｅ方向に移動させ、ベニヤ単板Ｗ、Ｗ１を搬送ロール２１に到達させる。同様に、ベニヤ単板Ｗは搬送ロール２１で搬送するのに充分な位置に到達している。
【００２２】
次に検出器２７がベニヤ単板Ｗを検出し、その検出信号が制御器に入力されると、制御器からの信号で、図７（ａ）に示すように、シリンダ３７のピストンロッドを伸長作動させて、検出ロール３１を矢印Ｇ方向に下降させ、ベニヤ単板Ｗ、Ｗ１を搬送ロール２１と検出ロール３１で挟持させる。
次に検出ロール３１の下降が終了するのに充分な時間が経過後、垂直台３３の下降して停止している位置を検出した位置検出器３９からの信号が制御器に入力される。そして制御器は入力された信号により演算し、搬送ロール２１と検出ロール３１で挟持しているベニヤ単板が２枚であると判断する。
【００２３】
この２枚であることの信号が入力されると、制御器は以下の様に各部材を作動させる信号を出す。即ち図７（ｂ）に示すように、シリンダ３７のピストンロッドを縮小作動させて、検出ロール３１を矢印Ｈ方向の元の位置に上昇させる。次いで制御器からの信号で、図７（ｃ）に示すように、保持部材５でベニヤ単板Ｗを保持状態で、シリンダ１３のピストンロッドを縮小作動させて、水平台９を矢印Ｆ方向の元の位置に戻す。
【００２４】
この時、２枚のベニヤ単板Ｗ、Ｗ１は、保持部材５で持ち上げられてから経過した時間での両ベニヤ単板Ｗ、Ｗ１間へ空気が入ること、図５（ａ）の状態から水平移動して図５（ｂ）の状態になる時にベニヤ単板Ｗ、Ｗ１に作用する力等により分離している。それ故ベニヤ単板Ｗだけが保持部材５により元の位置へ移動する。
次に、前記水平台９が元の位置に戻るのに充分な時間が経過後、図７（ｄ）に示すように、シリンダ３７のピストンロッドを伸長作動させて、検出ロール３１を矢印Ｇ方向に下降させ、ベニヤ単板Ｗ１を搬送ロール２１と検出ロール３１で挟持させる。次に検出ロール３１の下降が終了するのに充分な時間が経過後、垂直台３３の下降して停止している位置を検出した位置検出器３９からの信号が制御器に入力される。そして制御器は入力された信号により演算し、搬送ロール２１と検出ロール３１で挟持しているベニヤ単板Ｗ１が１枚であると判断する。
【００２５】
次に制御器からの信号で、図８（ａ）に示すように、電動機２５を駆動させて、搬送ロール２１を図より見て反時計方向に回転させ、ベニヤ単板Ｗ１を所望位置に搬送する。
ベニヤ単板Ｗ１が所望位置に搬送し終わると、検出器２７からベニヤ単板を非検出となった信号が制御器に入力され、制御器からの信号により、図８（ｂ）に示すように、シリンダ３７のピストンロッドを縮小させて、垂直台３３を矢印Ｈ方向の元の位置に上昇させると共に、シリンダ１３のピストンロッドを伸長作動させて、水平台９を矢印Ｅ方向に移動させ、保持部材５で保持し続けていたベニヤ単板Ｗを搬送ロール２１に到達させる。この時、同様にベニヤ単板Ｗは搬送ロール２１で搬送するのに充分な位置に到達している。
【００２６】
次に検出器２７がベニヤ単板Ｗを検出し、その検出信号が制御器に入力されると、制御器からの信号で、図６（ａ）に示すように、シリンダ３７のピストンロッドを伸長作動させて、検出ロール３１を矢印Ｇ方向に下降させ、ベニヤ単板Ｗを搬送ロール２１と検出ロール３１で挟持させる。
次に制御器からの信号で、図２に示すシリンダ５ｇのピストンロッドを伸長作動させて、当て座５ｆを実線で示す位置に上昇させ、爪５ｃの先端５ｂを実線で示す元の位置に開かせ、図６（ｂ）に示すように、保持部材５によるベニヤ単板Ｗの保持を解放させる。
【００２７】
次に制御器からの信号で、図６（ｃ）に示すように、電動機２５を駆動させて、搬送ロール２１を図より見て反時計方向に回転させ、ベニヤ単板Ｗを所望位置に搬送すると共に、シリンダ１３のピストンロッドを縮小作動させて、水平台９を矢印Ｆ方向の元の位置に戻す。
ベニヤ単板Ｗが所望位置に搬送し終わると、検出器２７からベニヤ単板を非検出となった信号が制御器に入力され、制御器からの信号により、シリンダ３７のピストンロッドを縮小させて、垂直台３３を元の位置に上昇させると共に、運転開始からの同様な動作を繰り返させる。
【００２８】
以上の発明の実施の形態によれば、生産性良く、ベニヤ単板を所望位置に搬送できる。
【００２９】
尚、実施の形態では、垂直台３３の矢印ＧＨ方向の位置を検出するのにアブソリュート型エンコーダー等の位置検出器を使用しているが、図１と同様に側面図であるが拡大してある図９に示すように、垂直台３３に顎部３３ａを配備し、該顎部３３ａに係合するスイッチ４１を基部１に配備し、そして実線で示すように、搬送ロール２１と検出ロール３１で挟持しているベニヤ単板Ｗが２枚の時はスイッチ４１がＯＮされず、またベニヤ単板が１枚の時は垂直台３３及び検出ロール３１が二点鎖線で示す位置まで下降し、スイッチ４１がＯＮされるように設定する。そして前記下降させた時にスイッチ４１がＯＮの時はベニヤ単板が１枚で、又スイッチ４１がＯＮでない時はベニヤ単板が２枚以上であると、制御器に判断させても良い。
【００３０】
また、重なり合う２枚のベニヤ単板が同時に保持部材５により保持された場合、図９に示すように、ベニヤ単板群のベニヤ単板搬送方向上手側に、軸５１ｂを中心として回動自在でベニヤ単板の上に自重で乗り、且つ先端部５１ａがベニヤ単板の厚みより薄い逆移動防止バー５１を配備させ、保持部材５でベニヤ単板Ｗを矢印Ｆ方向に戻すときに、２枚目のベニヤ単板Ｗ１が同方向に戻る場合を防止させても良い。
【００３１】
尚、発明の実施の形態では、搬送ロール２１にベニヤ単板が到達してから該ベニヤ単板の枚数を検出しているが、保持部材５でベニヤ単板を搬送ロール２１側に移動させている途中で該ベニヤ単板の枚数を検出させる機構であっても良い。
【００３２】
尚、搬送ロール２１で搬送されるベニヤ単板が、Ｆ方向の待機位置にある保持部材５によるベニヤ単板群からのベニヤ単板保持動作の妨げとならぬ位置に移動したことを検出する第２の検出器を設け、そして搬送ロール２１で搬送されるベニヤ単板が、保持部材５によるベニヤ単板群からのベニヤ単板保持動作の妨げとならぬ位置に移動したことを検出した第２の検出器からの信号により、保持部材５を下降させてベニヤ単板を保持させても良い。
【００３３】
尚、発明の実施の形態では、保持部材５によりベニヤ単板が１枚又は２枚持ち上がった場合を説明しているが、例えば、ベニヤ単板が３枚持ち上がり、その３枚が搬送ロール２１に到達し、そして２枚以上を検出可能とする検出ロール３１で３枚を検出した時は、従来装置と同様に、それ以後の作動を停止させると共に、警報等を鳴らして管理者に知らせても良い。
【００３４】
【発明の効果】
本発明は、生産性良く、ベニヤ単板を所望位置に搬送することができるのである。
【図面の簡単な説明】
【図１】従来装置及び発明の実施の形態の概略側面図である。
【図２】図１の一部ＡＡ視図である。
【図３】従来装置及び発明の実施の形態の作動説明図である。
【図４】従来装置の作動説明図である。
【図５】従来装置及び発明の実施の形態の作動説明図である。
【図６】発明の実施の形態の作動説明図である。
【図７】発明の実施の形態の作動説明図である。
【図８】発明の実施の形態の作動説明図である。
【図９】発明の実施の形態の一部変更例の説明図である。
【符号の説明】
Ｗ・・・・・ベニヤ単板
５・・・・・保持部材
２１・・・・搬送ロール
２７・・・・検出器
３１・・・・検出ロール
【図１】
2004122603.tif 000003
【図２】
2004122603.tif 000004
【図３】
2004122603.tif 000005
【図４】
2004122603.tif 000006
【図５】
2004122603.tif 000007
【図６】
2004122603.tif 000008
【図７】
2004122603.tif 000009
【図８】
2004122603.tif 000010
【図９】
2004122603.tif 000011